(57)【要約】【課題】必要な時に容易に使用でき、衛生的で安全かつ安価な、四足の哺乳動物の交尾を防止する装具を提供する。【解決手段】避妊させる動物の雌の臀部に装着する装具本体１の、動物と接する面の反対面に突起２を突設し、装具本体１を後脚部固定部材３、後脚部副固定部材４、胴部固定部材５、胴部副固定部材６、首部固定部材７により、動物の体に装着固定するようにした。【選択図】図１
2010154828.tif 000002
【特許請求の範囲】
【請求項１】
四足の哺乳動物の雌の少なくとも臀部上部に装着する装具本体と、装具本体の動物と接する面の反対面の臀部相当位置に突設した１個以上の突起と、装具本体を動物の体に装着する固定手段で構成された、四足の哺乳動物の交尾を防止する装具。
【請求項２】
請求項１記載の装具において、固定手段に弾性付与手段を付加した、四足の哺乳動物の交尾を防止する装具。
【請求項３】
請求項１記載の装具において、装具本体と突起と固定手段をエラストマーの成形加工により一体構造とした、四足の哺乳動物の交尾を防止する装具。
【請求項４】
請求項１記載の装具において、装具本体と突起と後脚部固定手段、および首部固定手段を、エラストマーの成形加工により、それぞれ一体構造とするとともに、装具本体と首部固定手段との連結手段を、装具本体もしくは首部固定手段の少なくとも一方に一体構造で設け、装具本体と首部固定手段の間隔を調整可能な連結構造とした、四足の哺乳動物の交尾を防止する装具。
【請求項５】
請求項１から４のいずれかに記載の装具において、装具本体の動物と接する面に緩衝部材を付設した、四足の哺乳動物の交尾を防止する装具。
【発明の詳細な説明】
【技術分野】
【０００１】  本発明は、四足の哺乳動物を利用した牧畜業、酪農業、愛玩動物の繁殖業などの産業や、家庭における愛玩動物の飼育において、動物の交尾を防止するための装具に関する。
【背景技術】
【０００２】  牧畜業や酪農業や愛玩動物の繁殖業などにおいては、飼育頭数を適正に維持したり、無用な繁殖による血統の劣化や雌の体力消耗を防いだり、品種改良を行うために、飼育動物の妊娠をコントロールする必要がある。また、家庭において犬や猫を飼育する場合にも、飼い主が望まない仔が産まれた場合に、捨てられて野犬や野良猫となることを防ぐために、妊娠をコントロールすることが望まれている。【０００３】  このような目的の従来技術としては、避妊用薬品や避妊用ワクチンを家畜に投与して妊娠をコントロールする方法がある。【０００４】  また、妊娠をコントロールするために、家畜に装着したセンサー等により発情期を監視システムが開示されている（例えば、特許文献１参照。）。【０００５】  また、糞便による汚れを防ぐと共に交尾をさせないための動物用パンツが開示されている（例えば、特許文献２参照。）。【０００６】  また、犬について子宮内に避妊器具を挿入して避妊させる方法が開示されている（例えば、特許文献３参照。）。【０００７】  また、動物の雌の卵巣などを摘出する避妊手術も、家庭で飼育する犬や猫などを中心に行われている。【０００８】
【特許文献１】特開２００６−２６２８４８号公報
【特許文献２】特開平９−１４０２８７号公報
【特許文献３】特開平１１−７２号公報
【発明の開示】
【発明が解決しようとする課題】
【０００９】  しかしながら、避妊用薬品や避妊用ワクチンを用いる方法は、投与時期や投与量の管理に十分な注意が必要であり、副作用や動物の体調不良をもたらすという危険性もある。【００１０】  また、特許文献１の家畜にセンサーを装着して発情期を監視する方法は、精度や耐久性の確保が難しいうえ設備に高額の費用が必要である。【００１１】  また、特許文献２の交尾を防ぐためのパンツをはかせる方法は、糞便による汚れが避けられず衛生上好ましくないうえ、頻繁な交換が必要である。【００１２】  また、特許文献３の動物の子宮内に避妊器具を挿入する方法は作業が難しいうえ感染症の予防などにも留意する必要があり、獣医師など専門知識を有する者でなければ実施が困難である。【００１３】  また、愛玩動物などで普及している避妊手術は、高額の費用がかかるうえ手術の失敗の危険性もあり、一度手術すると繁殖が必要になった時に交配させることができないという問題がある。【００１４】  以上のように、動物の妊娠をコントロールすることは飼育するうえにおいて重要な課題であるため、動物を避妊させるための従来技術が多数開示されているが、それぞれ問題点があった。【００１５】  本発明は、上記のような従来技術の問題点に鑑み、必要な時に容易に使用でき、衛生的で安全かつ安価な、四足の哺乳動物の交尾を防止する装具を提供することを目的とするものである。
【課題を解決するための手段】
【００１６】  そして本発明は上記目的を達成するために、家畜や愛玩動物などの四足の哺乳動物の雌の少なくとも臀部上部に装着する装具本体と、装具本体の動物に接する面の反対面の臀部相当位置に突設した１個以上の突起と、装具本体を装着位置に固定する手段で構成される、交尾防止装具を提供することにより、上記課題を解決するものである。【００１７】また、第２の課題解決手段は、上記の交尾防止装具において、固定手段の一部に弾性付与手段を付加したものである。【００１８】  また、第３の課題解決手段は、装具本体と突起と固定手段を、エラストマーの成形加工により一体構造としたものである。【００１９】  また、第４の課題解決手段は、装具本体と突起と後脚部固定手段、および首部固定手段を、エラストマーの成形加工により、それぞれ一体構造とするとともに、装具本体と首部固定手段との連結手段を、装具本体もしくは首部固定手段の少なくとも一方に一体構造で設け、装具本体と首部固定手段の間隔を調整可能な連結構造としたものである。【００２０】  また、第５の課題解決手段は、上記の交尾防止装具において、装具本体の動物と接する面に緩衝部材を付設したものである。
【発明の効果】
【００２１】  上述したように、本発明の交尾防止装具は、発情した雄が雌に対して交尾の姿勢を取った時に、雌の臀部位置に突設された装具本体の突起が雄の下腹部を雌の陰部から遠ざけるので、交尾を防止することができる。【００２２】  また、本発明の交尾防止装具は、突起の先端を雄の腹部を傷付けない程度の、鋭角にするか、鋭角で無い場合は面積の小さい形状にすれば、雄が雌に対して交尾の姿勢を取った時に雄の下腹部に圧迫痛を与えるので、交尾を防止することができる。【００２３】  また、本発明の交尾防止装具は、バンドなどの固定手段で臀部に装着するので、陰部を覆うパンツのように糞便により汚れることが無く、清潔で衛生的である。【００２４】  また、本発明の交尾防止装具は、陰部を覆うパンツに比べ、動物に与える異物感が少ないので、長時間の装着が可能であり、発情期間中に継続して使用することができる。【００２５】  また、本発明の交尾防止装具は、薬品やワクチンを使用して妊娠をコントロールする方法のように、投与時期や投与量の管理のための管理が不要で副作用や動物の体調不良をもたらす恐れもない。【００２６】  また、本発明の交尾防止装具は、動物にセンサーを装着して発情期を監視する方法に比べて信頼性が高く、低コストで実施可能である。【００２７】  また、本発明の交尾防止装具は、動物の子宮内に避妊器具を挿入する方法のように難しい技術が不要で危険性も無く、発情期が終了した後の取り外しも極めて容易である。【００２８】  また、本発明の交尾防止装具は、避妊手術に比べれば、安価かつ安全で、手術終了後に動物が感じる痛みもないうえ、繁殖させる必要が生じたときは簡単に取り外して交尾をさせることができる。【００２９】  また、本発明の交尾防止装具は、固定手段にゴムなどの弾性付与手段を付加すれば、より確実な装着が可能となる。【００３０】  また、本発明の交尾防止装具は、装具本体と突起と固定手段を、エラストマーの成形加工により一体構造とすれば、低コストで製造することができる。【００３１】  また、本発明の交尾防止装具は、装具本体の動物と接する面に緩衝部材を付設すれば、より安定した装着が可能となるうえ、体毛の少ない動物の皮膚の保護にも有効である。さらに緩衝部材の配置や形状において、通気性を考慮することで体表面からの発汗を妨げることが少なくなり、動物の生理上好ましく使用できる。
【発明を実施するための最良の形態】
【００３２】  以下、本発明の実施の形態を、図１〜図９に基づいて説明する。【００３３】  図１は請求項１による実施形態の交尾防止装具をめん羊に装着した場合の側面図であり、避妊させる動物の雌の少なくとも臀部上部に装着される装具本体１と、装具本体１の動物と接する面の反対面の臀部相当位置に突設された突起２と、装具本体１を動物の体に装着固定するための後脚部固定部材３、後脚部副固定部材４、胴部固定部材５、胴部副固定部材６、首部固定部材７により構成されている。【００３４】  装具本体１は、化学繊維の織布などの柔軟性のある素材を用いて少なくとも臀部上部を覆う面状の構造とするが、網状あるいは帯状の構造としても良い。また、装具本体１は、より安定的に装着するために、臀部から背部にかかる大きさでも良い。【００３５】  装具本体１の動物と接する面の反対面の、臀部に相当する位置に突設される突起２はプラスチックの成形加工により製作され、リベット１０により装具本体１に締結される。【００３６】  突起２の必要とする高さは、装着する動物の種類によって異なり、一義的に数値限定することが困難であるが、交尾しようとする雄の陰茎の長さ以上とすれば確実である。その一方、必要以上に高い場合は、雄の体により押し倒されたり、雌が走ったりした時に揺れて装具本体１を破損する恐れがあるので、交尾の姿勢をとった雄の下腹部に圧迫痛を与える高さであれば良い。また、この高さは突起２の先端部の形状や面積により異なり、例えば、先端部を雄の腹部を傷付けない程度の鋭角にするか、鋭角で無い場合は面積の小さい形状にすれば、雄の下腹部に痛みを与えるので、より低いものでも良い。【００３７】  突起２を突設させる位置は、雌の臀部相当位置とするが、交尾しようとする雄の下腹部に突起２の先端が当接するよう、雌の尾の周囲が好ましい。また糞便による汚損を避けるため肛門より上部が望ましい。更に、動物の大きさや臀部の形状等により、複数個配設しても良い。【００３８】  装具本体１には、突起２が締結されるとともに、後脚部固定部材３がリベット１１ａにより、また胴部固定部材５がリベット１１ｂにより、それぞれ締結される。後脚部固定部材３の略中間部には、その一端を後脚部固定部材３に遊動可能に環装してリベット１１ｃにより締結するとともに他端に係止用のバックル１２ａを付設した後脚部副固定部材４が配設されており、動物の後脚部を周回させた後脚部固定部材３の先端をバックル１２ａに挿入して係止穴１３ａにより、最適位置で係止する。【００３９】  一方、動物の首部には首部固定部材７がバックル１２ｂ及び係止穴１３ｂにより、最適位置に係止される。そして首部固定部材７には、その一端を首部固定部材７に遊動可能に環装してリベット１１ｄにより締結した胴部副固定部材６が配設されており、その先端を胴部固定部材５の先端に付設されたバックル１２ｃに挿入して係止穴１３ｃにより、最適位置で係止することで、装具本体１を臀部位置に安定的に装着することができる。【００４０】  なお、図１は側面図であるため、後脚部固定部材３、後脚部副固定部材４、リベット１１ａ、１１ｃ、バックル１２ａ、１２ｂ、係止穴１３ａ、１３ｂが１組しか示されていないが、反対面にも同様の各固定部材が配設されている。【００４１】  また、胴部固定部材５、胴部副固定部材６、リベット１１ｂ、１１ｄ、バックル１２ｃ、係止穴１３ｃも同様に反対面にも配設されているが、背中部分に１組を配設しても良く、或いは背中や側面に３組以上配設しても良い。【００４２】  なお、本実施形態では、動物の後脚部と首部に固定部材を装着しているが、首に代えて前脚基部または胸部または腹部または、これらの複数の部位に装着するよう固定部材を配設しても良い。また、本実施形態の説明においては、めん羊に装着した図を用いたが、牛、馬等、他の四足の哺乳動物についても同様にして使用できることはいうまでも無い。【００４３】  また、装具本体１の材料としては、上述の化学繊維の織布のほか、木綿などの天然繊維の織布、皮革、ゴム、熱可塑性エラストマーなどの柔軟性のある素材や、これらを組み合わせて用いても良く、動物の臀部に倣う形状で製作する場合は金属、プラスチック、繊維強化プラスチックなどの剛性のある材料を用いても良い。【００４４】  また、突起２の材料としては、上述のプラスチックのほか、ゴム、金属、繊維強化プラスチック、木材あるいはこれらを組み合わせて用いても良い。【００４５】  また、これらの各部材の接合にはリベットのほかに、ネジ止め、縫着、接着、溶着などの手段を用いても良いが、装具本体１と突起２をゴム、金属、プラスチック、繊維強化プラスチックなどの材料を用いて一体に成形加工する場合は、上記の接合手段は不要となる。【００４６】  また、後脚部固定部材３、後脚部副固定部材４、胴部固定部材５、胴部副固定部材６、首部固定部材７の形態としては、ベルトのほかに、紐、鎖を用いても良く、その材質としては、天然繊維、化学繊維、ガラス繊維、合成樹脂、皮革、金属やこれらを組み合わせて使用しても良い。【００４７】  また、上述の固定部材の係合手段としては、バックルの代わりに、フック、スナップ式ボタン、メカニカルファスナー、結び紐などを用いても良い。【００４８】  図２は請求項２による実施形態の交尾防止装具をめん羊に装着した場合の側面図であり、後脚部固定部材３ａおよび３ｂ、胴部固定部材５ａおよび５ｂに、弾性付与手段としてゴムなどの弾性部材２０、２１を縫合糸１８ａ、１８ｂにより付加したものである。本実施形態においては請求項１の実施形態のバックル１２ａ、１２ｃ、係止穴１３ａ、１３ｃに代えて、フック状の先端を有する係合金具１４ａ、１４ｂを、係合用開口部を有する係合受金具１５ａ、１５ｂの開口部に挿入して係合する。なお、関係する固定部材、弾性部材、係合金具、係合受金具の長さは係合時に弾性部材が張力を発生するようにあらかじめ設定するが、例えばバックルなどの長さ調整機構をさらに付加しても良い。【００４９】  以上のように弾性部材２０、２１を付加することにより、後脚部固定部材３ｂと後脚部副固定部材４、および胴部固定部材５ｂと胴部副固定部材６を係合した後の緩みを防止し、動物が体を動かした場合にも装具本体１の位置がずれることなく、より確実に装着することができる。【００５０】  なお、弾性付与手段としてはゴムに代えてスプリングなどの弾性体を用いても良い。【００５１】  また、弾性部材の付加方法は縫合に��られるものではなく、締鋲、接着、緊結などの方法でも良く、弾性部材を付加する位置も固定部材の中間以外の位置、例えば係合金具を伸縮可能な構造としてスプリングで付勢するなどして係合金具に付加しても良い。【００５２】  図３（ａ）は請求項３による実施形態の交尾防止装具の平面図であり、図３（ｂ）はその側面図である。また、図４は本実施形態の交尾防止装具を犬に装着した場合の側面図である。本実施形態の交尾防止装具は、図３（ａ）、図３（ｂ）に示すように装具本体１、突起２、後脚部固定部材３、胴部固定部材５、首部固定部材７、係止突起１６ａ、１６ｂ、係止穴１７ａ、１７ｂを、ゴムまたは熱可塑性エラストマーなどのエラストマーを用いて成形加工により一体構造としたものである。【００５３】  本実施形態の交尾防止装具は、後脚部固定部材３を動物の後脚に周回させた後、係止を容易にするための切り込みを有する係止穴１７ａを、基部直径より大きな先端直径を有する係止突起１６ａに押し込んで係止する。また、首部固定部材７を動物の首に周回させた後、係止を容易にするための切り込みを有する係止穴１７ｂを係止突起１６ｂに押し込んで係止する。【００５４】  なお、本実施形態では、発汗や体温調節の妨げを防ぐ目的で、通気用開口部３０、３１を配設しているが、より小径の開口部を多数配設したり、逆に設けなくても良い。【００５５】  また、本実施形態の材料としては、ゴムの他、塩化ビニール、ナイロンなどの成形加工が可能で柔軟性を備えた熱可塑性エラストマーが使用できる。また、係止手段としては、上記の係止突起１６ａ、１６ｂ及び係止穴１７ａ、１７ｂに代えて、バックル、フック、スナップ式ボタン、メカニカルファスナー、結び紐などを付加して用いても良い。【００５６】  また、本実施形態では、動物の後脚部と首部に固定部材を装着しているが、首に代えて前脚基部または胸部または腹部または、これらの複数の部位に装着するよう固定部材を配設しても良い。また、本実施形態の説明においては、犬に装着した場合の図４を用いて説明したが、猫、豚等の他の哺乳乳動物についても同様にして使用できることはいうまでも無い。【００５７】  図５（ａ）は請求項４による実施形態のうち、装具本体１と首部固定部材７との連結手段をそれぞれに設けて連結した、第１実施形態による交尾防止装具の平面図であり、図５（ｂ）はその側面図である。また、図６は本実施形態の交尾防止装具を犬に装着した場合の側面図である。【００５８】  本実施形態の交尾防止装具は、図５（ａ）および（ｂ）に示すように装具本体１、突起２、後脚部固定部材３、胴部固定部材５、係止突起１６ａ、１６ｃ、係止穴１７ａ、１７ｃと、首部固定部材７、胴部副固定部材６、係止突起１６ｂ、係止穴１７ｂを、ゴムまたは熱可塑性エラストマーなどのエラストマーを用いて成形加工により、それぞれ一体構造としたものである。【００５９】  本実施形態では、請求項３による実施形態と同様に後脚部固定部材３と首部固定部材７をそれぞれ係止したのち、胴部固定部材５の係止穴１７ｃを胴部副固定部材６の係止突起１６ｃに押し込んで連結する。これにより、動物の体長に合わせて最適位置に装具本体１を装着することができる。【００６０】  図��（ａ）は請求項４による実施形態のうち、装具本体１と首部固定部材７との連結手段を装具本体１のみに設けた、第２実施形態による交尾防止装具の平面図であり、図７（ｂ）はその側面図である。また、図８は本実施形態の交尾防止装具を犬に装着した場合の側面図である。【００６１】  本実施形態の交尾防止装具は、図７（ａ）、図７（ｂ）に示すように装具本体１、突起２、後脚部固定部材３、胴部固定部材５、係止突起１６ａ、１６ｄ、係止穴１７ａ、１７ｄと、首部固定部材７、係止突起１６ｂ、係止穴１７ｂを、ゴムまたは熱可塑性エラストマーなどのエラストマーを用いて成形加工により、それぞれ一体構造としたものである。【００６２】  本実施形態では、請求項３による実施形態と同様に後脚部固定部材３を係止する一方、首部固定部材７を動物の首に周回させて係止穴１７ｂを係止突起１６ｂに押し込んで係止したのち、胴部固定部材５の先端を首部固定部材７に遊動可能に環装し、係止穴１７ｄを係止突起１６ｄに押し込んで連結する。これにより、動物の体長に合わせて最適位置に装具本体１を装着することができる。【００６３】  また、本実施形態においては、エラストマーで成形加工された首部固定部材７に代えて他の首輪を用いることもできるので、動物が通常装着している、鑑札の付いた首輪や見栄えの良い首輪などを装着したままで、必要な時に交尾防止装具を装着することができる。【００６４】  図９は請求項５の実施形態の交尾防止装具をめん羊に装着した場合の側面図であり、装具本体１の動物と接する面に、発泡ウレタン樹脂などからなる緩衝部材４０を付設したものである。【００６５】  本実施形態では、緩衝部材４０により、装具本体１を動物の体に、より適切かつ安定的に装着することができるうえ、例えば、豚のように体毛が少ない動物においても、装具本体１との摩擦による皮膚の損傷を防ぐことができる。【００６６】  また、緩衝部材４０は発泡ウレタン樹脂のほか、ゴム、厚手の織布、繊維または綿を織布で覆ったもの、あるいはこれらを組み合わせたものでも良い。【００６７】  また、体表面からの発汗の妨げとならないよう、通気性を良好にするために、緩衝部材４０を装具本体１の一部分に付設したり、波状の表面形状としても良い。
【図面の簡単な説明】
【００６８】
【図１】請求項１の本発明による交尾防止装具をめん羊に装着した側面図である。
【図２】請求項２の本発明による交尾防止装具をめん羊に装着した側面図である。
【図３】（ａ）請求項３の本発明による交尾防止装具の平面図である。
【図３】（ｂ）請求項３の本発明による交尾防止装具の側面図である。
【図４】請求項３の本発明による交尾防止装具を犬に装着した側面図である。
【図５】（ａ）請求項４の本発明の第１実施形態による交尾防止装具の平面図である。
【図５】（ｂ）請求項４の本発明の第１実施形態による交尾防止装具の側面図である。
【図６】請求項４の本発明の第１実施形態による交尾防止装具を犬に装着した側面図である。
【図７】（ａ）請求項４の本発明の第２実施形態による交尾防止装具の平面図である。
【図７】（ｂ）請求項４の本発明の第２実施形態による交尾防止装具の側面図である。
【図８】請求項４の本発明の第２実施形態による交尾防止装具を犬に装着した側面図である。
【図９】請求項５の本発明による交尾防止装具をめん羊に装着した側面図である。
【符号の説明】
【００６９】    １  装具本体
２  突起
３、３ａ、３ｂ  後脚部固定部材
４  後脚部副固定部材
５、５ａ、５ｂ  胴部固定部材
６  胴部副固定部材
７  首部固定部材
２０、２１  弾性部材
４０  緩衝部材
【図１】
2010154828.tif 000003
【図２】
2010154828.tif 000004
【図３】
2010154828.tif 000005
【図３】
2010154828.tif 000006
【図４】
2010154828.tif 000007
【図５】
2010154828.tif 000008
【図５】
2010154828.tif 000009
【図６】
2010154828.tif 000010
【図７】
2010154828.tif 000011
【図７】
2010154828.tif 000012
【図８】
2010154828.tif 000013
【図９】
2010154828.tif 000014